(57)【要約】【課題】一枚のピックで演奏曲の速度に応じて使用する角部を適宜変更して使い分けることで、速度が速い曲の場合でも弦の不必要な強い引っ掛かりを防止し、速度が遅い曲の演奏には先端を尖らせて弾くことにより三味線の演奏の質を高めると共に汎用性を向上させ、三味線の演奏を習得し易くすることができる三味線用ピックを提供する。【解決手段】本実施形態の三味線用ピック２０は、５角形の板状に形成されて、５つの角部２１，２２，２３，２４，２５を有する。第１の角部２２及び第２の角部２２の内角Ａ１，Ａ２は、互いに異なる角度で９０°未満にそれぞれ設定される。第３の角部２３及び第４の角部２４の内角Ａ３，Ａ４は、互いに異なる角度で９０°以上１８０°未満にそれぞれ設定される。第５の角部２５の内角Ａ５は、１８０°以上に設定される。【選択図】図２
0003219337.tif 000002
【実用新案登録請求の範囲】
【請求項１】
５角形の板状に形成されて、５つの角部を有し、
第１の角部及び第２の角部の内角は、互いに異なる角度で９０°未満にそれぞれ設定され、
第３の角部及び第４の角部の内角は、互いに異なる角度で９０°以上１８０°未満にそれぞれ設定され、
第５の角部の内角は、１８０°以上に設定される
ことを特徴とする三味線用ピック。
【請求項２】
前記第１及び前記第２の角部は、周方向で前記第５の角部をその間に挟んで隣り合って配置される
ことを特徴とする請求項１に記載の三味線用ピック。
【請求項３】
ピック本体の中央部には、所定の紐体を挿通するための挿通穴が形成される
ことを特徴とする請求項１又は２に記載の三味線用ピック。
【考案の詳細な説明】
【技術分野】
【０００１】
本考案は、三味線用ピックに関する。
【背景技術】
【０００２】
沖縄の民謡楽器である三味線（沖縄地方では「三線」とも呼ばれる。）は、その胴部の胴枠の表又は裏の開口部に一般的にヘビ皮を展着されて設けられる。この種の三味線の演奏には、通常、人差し指に着脱自在に取り付けられる義甲（バチとも呼ばれる。）が用いられる。義甲は、動物の角又は近年では合成樹脂からなり、鷲爪状に立体形成される。すなわち、義甲は全体的に湾曲しており、その先端は尖って形成される。三味線の演奏者は、義甲の先端を三味線の弦に引っ掛けて演奏する（例えば非特許文献１参照）。また、この義甲の代わりに、その入手性や操作性の容易さからギターなどの弦楽器の三角平板状のピックも近年用いられるようになった。この種のピックは用途に応じて様々なものが知られる（例えば特許文献１）。
【先行技術文献】
【非特許文献】
【０００３】
【非特許文献１】島袋りりあ著、「初心者のための沖縄三線教本」、ドレミ楽譜出版社、２００５年５月
【特許文献】
【０００４】
【特許文献１】登録実用新案第３１５６７４８号公報
【考案の概要】
【考案が解決しようとする課題】
【０００５】
しかしながら、従来の義甲は比較的大きな形状であり操作性が悪い。また、演奏曲が速い（例えばＢＰＭが１３０以上）場合、義甲の先端が尖っていることもあり、弦への引っ掛かりが強くなってしまう可能性もある。また、その不必要な強い引っ掛かりを防止するために、義甲の先端を丸く加工したり、演奏時の義甲の把持の仕方などを変更したりして取扱が煩雑となっていた。遅い曲から速い曲まで幅広い演奏曲の速さには対応できず、汎用性に欠けていた。この煩雑さは初心者にとっては三味線習得のハードルとなっていた。三角平板状のピックも同様に先端が尖った形状であり、改善の余地があった。
【０００６】
本考案は、上述した事情に鑑みてなされたものであり、その目的は、一枚のピックで演奏曲の速度に応じて使用する角部を適宜変更して使い分けることで、速度が速い曲の場合でも弦の不必要な強い引っ掛かりを防止し、速度が遅い曲の演奏には先端を尖らせて弾くことにより三味線の演奏の質を高めると共に汎用性を向上させ、三味線の演奏を習得し易くすることができる三味線用ピックを提供することにある。
【課題を解決するための手段】
【０００７】
本考案の前記目的は、下記の構成により達成される。
（１）５角形の板状に形成されて、５つの角部を有し、
第１の角部及び第２の角部の内角は、互いに異なる角度で９０°未満にそれぞれ設定され、演奏時に音色の質を高めるように使用され、
第３の角部及び第４の角部の内角は、互いに異なる角度で９０°以上１８０°未満にそれぞれ設定され、演奏時に三味線の弦への引っ掛かりが少ないように使用され、
第５の角部の内角は、１８０°以上に設定される
ことを特徴とする三味線用ピック。
（２）前記第１及び前記第２の角部は、周方向で前記第５の角部をその間に挟んで隣り合って配置される
ことを特徴とする（１）に記載の三味線用ピック。
（３）ピック本体の中央部には、所定の紐体を挿通するための挿通穴が形成される
ことを特徴とする請求項１又は２に記載の三味線用ピック。
【０００８】
上記（１）の構成によれば、一枚のピックで演奏曲の速度に応じて使用する角部を適宜変更して使い分けることで、速度が速い曲の場合でも弦の不必要な引っ掛かりを防止し、速度が遅い曲の演奏には先端を尖らせて弾くことにより三味線の演奏の質を高めると共に汎用性を向上させ、三味線の演奏を習得し易くすることができる。
上記（２）の構成によれば、ピック中央の操作部を比較的大きく設定することができ、また、演奏で使用する角部に対向するピック本体の側面部に指を当てつつピック中央の操作部を他の指で摘まむことができる。これにより、ピックを滑ることなく安定的に把持して、疲労感が少なく演奏し易くすることができる。
上記（３）の構成によれば、挿通穴に紐体が挿通され結ばれ固定されるので、この紐体がその他端で三味線の胴部にも取り付けられる場合、ピックは三味線の本体に分離非容易に保持されピックの紛失又は持参のし忘れを防止することができる。
【考案の効果】
【０００９】
本考案の三味線用ピックによれば、５角形の板状に形成されて、５つの角部を有し、第１の角部及び第２の角部の内角は、互いに異なる角度で９０°未満にそれぞれ設定され、第３の角部及び第４の角部の内角は、互いに異なる角度で９０°以上１８０°未満にそれぞれ設定され、第５の角部の内角は、１８０°以上に設定される。このため、一枚のピックで演奏曲の速度に応じて使用する角部を適宜変更して使い分けることで、速度が速い曲の場合でも弦の不必要な引っ掛かりを防止し、速度が遅い曲の演奏には先端を尖らせて弾くことにより三味線の演奏の質を高めると共に汎用性を向上させ、三味線の演奏を習得し易くすることができる。また、ピック中央の操作部を比較的大きく設定することができるので、演奏で使用する角部に対向するピック本体の側面部に指を当てつつピック中央の操作部を他の指で摘まむことができる。これにより、ピックを滑ることなく安定的に把持して、疲労感が少なく且つ演奏し易くすることができる。
【００１０】
以上、本考案について簡潔に説明した。さらに、以下に説明される考案を実施するための形態（以下、「実施形態」という。）を添付の図面を参照して通読することにより、本考案の詳細はさらに明確化されるだろう。
【図面の簡単な説明】
【００１１】
【図１】図１は、本考案に係る実施形態の三味線を説明する斜視図である。
【図２】図２は、図１に示す三味線用ピックを説明する平面図である。
【図３】図３は、図１に示す三味線用ピックを指で摘まんだ状態を説明する斜視図である。
【考案を実施するための形態】
【００１２】
以下、図面に基づいて、本考案に係る三味線用ピックの実施形態について詳細に説明する。
なお、沖縄の民謡楽器である三線のことを三味線とも呼ぶ。東北地方も含め広く知られる三味線の中に、沖縄地方で言う、沖縄の民謡楽器「三線」が含まれるものとして以下説明する。
【００１３】
＜三味線の全体構成＞
まず図１を参照して、本実施形態に係る三味線１０の全体構成について説明する。図１は、本実施形態の三味線１０を説明する斜視図である。
【００１４】
図１に示すように、本実施形態に係る三味線１０は、沖縄民謡の弦楽器として広く知られている。この沖縄の三味線１０は、胴部１１と、棹部１４と、胴部１１及び棹部１４に亘って張設される弦１５と、三味線用ピック（以下単に、ピックともいう。）２０と、を有して構成される。
【００１５】
胴部１１は、略矩形環状に形成され、その内部に空洞を有する木製の胴枠１２と、胴枠１２の空洞の両開口（不図示）を塞ぐ一対の振動膜体１３，１３を含んで構成される。すなわち、胴枠１２の空洞は、表裏一対の振動膜体１３，１３により閉塞され気密状態となり、胴部１１は三味線１０の共鳴空間として機能する。振動膜体１３は、例えば合成樹脂製や布製などのシート部材から形成される。
なお、本実施形態では、胴枠１２の空洞の両開口に一対の振動膜体１３，１３を設けるがこれに限定されない。その両開口の一方（例えば胴部１１の表側）のみでもよい。また裏面は本実施形態の振動膜体１３を設けず、その代わりにヘビの本皮を張り付けて設けてもよい。また、本実施形態では、胴枠１２の横寸法は１９０ｍｍ、縦寸法は２００ｍｍ、高さ寸法は８０ｍｍに設定される。また、その肉厚寸法は２０ｍｍに設定される。
【００１６】
棹部１４は、カキノキ科カキノキ属などの他、例えば紅木、紫檀、花林又は黒檀などの木材から棒状に延びて形成される。棹部１４は、その基端部が胴部１１の内部に挿嵌されており、その基端部の一部が胴部１１から外部に露出した状態で胴部１１に固定支持される。そして、棹部１４の先端部には、糸巻部（不図示）が設けられる。糸巻部は、３つの糸巻き（不図示）が左右交互に配置される。糸巻きには弦１５が巻回される。弦１５は、例えばナイロン（登録商標）、テフロン（登録商標）などの合成樹脂繊維の他、絹などからなり、胴部１１と棹部１４とに亘って張設され固定される。
【００１７】
ピック２０本体の中央部は操作部２０Ａとされ（図２参照）、この操作部２０Ａには一対の挿通穴２６，２６が肉厚方向に貫通して形成される。この一対の挿通穴２６，２６に紐体Ｓが挿通され結ばれる。また、この紐体Ｓはその他端で三味線１０の胴部１１にも取り付けられ固定される。この紐体Ｓにより、ピック２０は三味線１０本体に分離非容易に保持されピック２０の紛失又は持参のし忘れを防止することができる。
【００１８】
＜ピックの構成＞
次に図２及び図３を参照して、本実施形態のピック２０の構成について説明する。図２は、図１に示す三味線用ピック２０を説明する平面図である。図３は、図１に示す三味線用ピック２０を指で摘まんだ状態を説明する斜視図である。
【００１９】
図２に示すように、本実施形態のピック２０は、全体として５角形の薄平板状に形成されており、ピック２０本体の中央に配置される操作部２０Ａと、この操作部２０Ａの外側に配置される５つの角部（第１〜第５の角部）２１，２２，２３，２４，２５と、を有して構成される。三味線１０の演奏者は、ピック２０の操作部２０Ａを指でその肉厚方向で摘まんで演奏する。
【００２０】
ピック２０の肉厚は０．５ｍｍから１．２ｍｍ程度に設定される。ピック２０は、ポリエチレンテレフタレート又はナイロン（登録商標）などの合成樹脂製のシート部材から設けられる。シート部材をプレス打ち抜き加工することによりピック２０を大量に安価に製造することが可能となる。また、ピック２０の材質は、その他にセルロイド、デルリン、ゲーターグリップ、ウルテム又はポリアセタールなどの樹脂材を適宜用いることができる。また、これら樹脂材の中から１種類を選択して単独で使用してもよいし、２種類以上を選択して組み合わせて（積層して）使用してもよい。ただし、本実施形態ではポリエチレンテレフタレート製がより好適とされる。
【００２１】
本実施形態では、第１の角部２１、及び第２の角部２２の内角Ａ１，Ａ２は、互いに異なる角度で且つ９０°未満にそれぞれ設定される。好適には、第１の角部２１の内角Ａ１は５０°から６０°の範囲、第２の角部２２の内角Ａ２は７０°から７５°の範囲にそれぞれ設定される。そして、第３の角部２３、及び第４の角部２４の内角Ａ３，Ａ４は、互いに異なる角度で且つ９０°以上１８０°未満にそれぞれ設定される。好適には、第３の角部２３の内角Ａ３は９０°（直角）、第４の角部２４の内角Ａ４は１０５°から１１０°の範囲にそれぞれ設定される。第５の角部２５の内角Ａ５は１８０°以上に設定され、好適には２１０°から２２０°の範囲に設定される。また、本実施形態では、各角部２１，２２，２３，２４，２５は尖った形状に形成される。
なお、各角部２１，２２，２３，２４，２５の先端は、丸みを帯びて形成してもよい。また、第１及び第２の角部２１，２２だけでも丸みを帯びて形成してもよい。
【００２２】
また、第１及び第２の角部２１，２２は、ピック２０本体の周方向で第５の角部２５をその間に挟んで隣り合って配置される。すなわち、ピック２０本体の周方向（図２では反時計回り）で第１の角部２１を基点として、その次に第５の角部２５、その次に第２の角部２２、その次に第３の角部２３、そして最後に第４の角部２４という順に各角部２１，２２，２３，２４，２５は配置される。
【００２３】
そして、ピック２０の大きさについて、図２の左右方向での、第１及び第２の角部２１，２２間の寸法Ｄ１は３５ｍｍから５５ｍｍ程度の範囲に設定される。また、図２の上下方向での、第２及び第３の角部２２，２３間の寸法Ｄ２は、３０ｍｍから５０ｍｍ程度の範囲に設定される。
【００２４】
図３に示すように、このように構成されるピック２０を用いて三味線１０を演奏する際、演奏者はピック２０の操作部２０Ａを演奏での使用部分に対向する側面部に指（例えば人差し指）を当てつつ、ピック２０中央部の操作部２０Ａを他の指（親指と中指）で肉厚方向で摘んで演奏する。このとき、演奏で使用する角部２１，２２，２３，２４は、その演奏曲の速度に応じて適宜選択され使い分けられる。ただし、第５の角部２５は、演奏には使用されない。
【００２５】
具体的には、表１に示すように、演奏曲の速度を示す一指標としてＢＰＭ（Beats Per Minute）を用いて説明すると、演奏曲の速度が３０ＢＰＭから７０ＢＰＭ程度の範囲の場合、第１の角部２１が選択され演奏に使用される。この範囲の沖縄民謡の代表的な演奏曲として、ゆっくりとしたテンポの所謂「情け唄」が例示され、第１の角部２１はこの「情け唄」のときに最適である。演奏曲が７０ＢＰＭから１００ＢＰＭ程度の範囲の場合、第２の角部２２が選択され演奏に使用される。この範囲の代表的な演奏曲として、一般的に弾かれるテンポで男女の掛け合いの所謂「コンビ曲」が例示される。第２の角部２２はこの「コンビ曲」などに最適である。
【００２６】
そして、演奏曲が１００ＢＰＭから１３０ＢＰＭ程度の場合、第３の角部２３が選択され演奏に使用される。これら範囲の代表的な沖縄民謡の演奏曲として早めのテンポで弾かれカチャーシーの前踊りになる曲が例示され、第３の角部２３はこの種の曲のときに最適である。さらに、演奏曲が１３０ＢＰＭ以上の場合、第４の角部２４が選択され演奏に使用される。この範囲の沖縄民謡の代表的な演奏曲としてアップテンポのカチャーシーが例示され、第４の角部２４はこのカチャーシーのときに最適である。
なお、カチャーシーは、結婚式などの祝いの席などで最後に踊る曲であり、次第に早く弾かれるものである。
【００２７】
【表１】
0003219337.tif 000003
【００２８】
このようにピック２０で使用する角部２１，２２，２３，２４を演奏曲の速度に応じて使い分けることにより、１つのピック２０で様々な速度の演奏曲に対応することができる。例えば情け唄では澄み切った音を奏で、カチャーシーでは弦１５に引っ掛かることなく三味線１０の演奏が可能となる。また、ギター用ピックでは通常人差し指と親指の２点で把持して安定感なく疲労してしまう。それに対し、本実施形態のピック２０では、人差し指、中指及び親指の３点で把持するので、安定感があり、疲労感が少ない。
【００２９】
＜本実施形態の利点＞
以上説明したように本実施形態の三味線用ピック２０によれば、５角形の板状に形成されて、５つの角部２１，２２，２３，２４，２５を有し、第１の角部２１及び第２の角部２２の内角Ａ１，Ａ２は、互いに異なる角度で９０°未満にそれぞれ設定され、第３の角部２３及び第４の角部２４の内角Ａ３，Ａ４は、互いに異なる角度で９０°以上１８０°未満にそれぞれ設定され、第５の角部２５の内角Ａ５は、１８０°以上に設定される。このため、一枚のピック２０で演奏曲の速度に応じて使用する角部２１，２２，２３，２４を適宜変更して使い分けることで、速度が速い曲の場合でも弦１５の不必要な引っ掛かりを防止し、速度が遅い曲の演奏には先端を尖らせて弾くことにより三味線１０の演奏の質を高めると共に汎用性を向上させ、三味線１０の演奏を習得し易くすることができる。
【００３０】
また、本実施形態の三味線用ピック２０によれば、第１及び第２の角部２１，２２は、周方向で第５の角部２５をその間に挟んで隣り合って配置される。このため、ピック２０中央の操作部２０Ａを比較的大きく設定することができ、また、演奏で使用する角部２１，２２，２３，２４に対向するピック２０本体の側面部に指を当てつつピック２０中央の操作部２０Ａを他の指で摘まむことができる。これにより、ピック２０を滑ることなく安定的に把持して、疲労感が少なく演奏し易くすることができる。
【００３１】
また、本実施形態の三味線用ピック２０によれば、ピック２０本体の中央部には、所定の紐体Ｓを挿通するための挿通穴２６が形成される。このため、挿通穴２６に紐体Ｓが挿通され結ばれ固定されるので、この紐体Ｓがその他端で三味線１０の胴部１１にも取り付けられる場合、ピック２０は三味線１０の本体に分離非容易に保持されピック２０の紛失又は持参のし忘れを防止することができる。
【００３２】
なお、本考案は上記実施形態に例示したものに限定されるものではなく、本考案の要旨を逸脱しない範囲において適宜変更可能である。
【符号の説明】
【００３３】
１０    三味線
１１    胴部
１２    胴枠
１３    振動膜体
１４    棹部
１５    弦
２０    ピック
２０Ａ  操作部
２１    第１の角部
２２    第２の角部
２３    第３の角部
２４    第４の角部
２５    第５の角部
２６    挿通穴
Ｓ      紐体
Ａ１    第１の角部の内角
Ａ２    第２の角部の内角
Ａ３    第３の角部の内角
Ａ４    第４の角部の内角
Ａ５    第５の角部の内角
Ｄ１    第１及び第２の角部間の寸法
Ｄ２    第２及び第３の角部間の寸法
【図１】
0003219337.tif 000004
【図２】
0003219337.tif 000005
【図３】
0003219337.tif 000006